(57)【要約】【課題】  本発明は、シンプルな構造で、誰でも簡単に垂直飛行をする竹とんぼを飛ばすことができる飛行玩具を提供することを目的とする。【解決手段】  本発明の飛行玩具は、適宜長さの細長棒状の柄部２と該柄部２の先端にプロペラ３を固着された竹とんぼ１と、上端面から鉛直方向に前記柄部２を緩挿できる径及び深さの挿通穴９を設け、該挿通穴９の途中には前記挿通穴９と直交する方向で、上下の相対向する左右側面にそれぞれ引き紐通し上溝及び引き紐通し下溝を形成すると共に上端面から引き紐通し上溝及び引き紐通し下溝まで挿通穴９側壁面を開放して挿通溝を形成し、前記引き紐通し下溝上部の側壁面に糸巻き摩擦棒１３を半径方向に突出形成した握り胴体７と、適宜長さの柱状の把握部５と該把握部５の中央部に直径方向に空けた貫通穴に引き通された引き紐６とを備えた引き具４とから構成されるものである。【選択図】  図４
2005118085.tif 000002
【特許請求の範囲】
【請求項１】
適宜長さの細長棒状の柄部と該柄部の先端にプロペラを固着された竹とんぼと、上端面から鉛直方向に前記柄部を緩挿できる径及び深さの挿通穴を設け、該挿通穴の途中には前記挿通穴と直交する方向で、上下の相対向する左右側面にそれぞれ引き紐通し上溝及び引き紐通し下溝を形成すると共に上端面から引き紐通し上溝及び引き紐通し下溝まで挿通穴側壁面を開放して挿通溝を形成し、前記引き紐通し下溝上部の側壁面に糸巻き摩擦棒を半径方向に突出形成した握り胴体と、適宜長さの柱状の把握部と該把握部の中央部に直径方向に空けた貫通穴に引き通された引き紐とを備えた引き具とから構成されることを特徴とする飛行玩具。
【請求項２】
前記糸巻き摩擦棒は、前記握り胴体の側壁面に固定される大径部と先端側が小径部となる円錐部と、該円錐部の先端に固定された球体部とからなり、該球体部の球面には前記引き紐通し下溝側に突出する押さえ棒を設け、該押さえ棒の先端に円盤部を設け、さらに前記円錐部の途中には上方に鉛直状に突出する止めピンを設けたことを特徴とする請求項１記載の飛行玩具。
【発明の詳細な説明】
【技術分野】
【０００１】
本発明は、垂直飛行をする竹とんぼを簡単に遠くに飛ばすことができる飛行玩具に関する。
【背景技術】
【０００２】
従来、手作り玩具として竹とんぼが知られているが、遊び方は竹とんぼの柄部を両手の掌で挟んで右手を押し出すようにして柄部に反時計方向の回転を与えてプロペラを廻し遠くへ飛ばすものである。
なお、左利きの人のためにプロペラを逆に切削し、揚力を与えるために切削した側が回転後方となるように、左手を押し出すようにして柄部に時計方向の回転を与えて飛ばす竹とんぼもある。
しかし、最近では遊び方を知らないと共に、竹とんぼの柄部に上手に回転を与えることができない児童が多くなってきている。
そのため、本出願人は竹とんぼを遠くへ飛ばすための道具を開発し、特願２００１−２６８６２３号（特開２００３−７１１４６号公報参照）として出願を行った。。
この飛行玩具は、適宜長さの細長棒状の柄部と該柄部の先端にプロペラを固着された竹とんぼと、上端面から鉛直方向に前記柄部を緩挿できる深さの挿通穴を設け、該挿通穴を側壁外側から中心方向に直交するように切り欠き形成した引き紐通し溝を備えた握り胴体と、前記竹とんぼより長く且つ弾性を有する細径の竹ひごと、２本重ねた指の厚さより長い円柱状の把握部と該把握部の中央部に直径方向に空けた貫通穴に引き通された引き紐とを備えた引き具とから構成されたものである。
遊技の際には、引き具を強く引っ張ることにより竹とんぼの柄部に巻き付いた引き紐が繰り出されて竹とんぼが回転する。
しかし、引き具をゆっくり引いた場合には、竹とんぼの柄部の巻き付け部分が少なくなるにつれて、竹とんぼが上昇して握り胴体の挿通穴から競り上がって行き、引き紐が握り胴体の挿通穴に引き込まれて竹とんぼがうまく飛ばない恐れがあった。
【特許文献１】特開２００３−７１１４６号公報
【発明の開示】
【発明が解決しようとする課題】
【０００３】
そこで、本発明は、シンプルな構造で、誰でも簡単に垂直飛行をする竹とんぼを飛ばすことができる飛行玩具を提供することを目的とする。
【課題を解決するための手段】
【０００４】
そのために、本発明の飛行玩具は、適宜長さの細長棒状の柄部と該柄部の先端にプロペラを固着された竹とんぼと、上端面から鉛直方向に前記柄部を緩挿できる径及び深さの挿通穴を設け、該挿通穴の途中には前記挿通穴と直交する方向で、上下の相対向する左右側面にそれぞれ引き紐通し上溝及び引き紐通し下溝を形成すると共に上端面から引き紐通し上溝及び引き紐通し下溝まで挿通穴側壁面を開放して挿通溝を形成し、前記引き紐通し下溝上部の側壁面に糸巻き摩擦棒を半径方向に突出形成した握り胴体と、適宜長さの柱状の把握部と該把握部の中央部に直径方向に空けた貫通穴に引き通された引き紐とを備えた引き具とから構成されるものである。
また、前記前記糸巻き摩擦棒は、前記握り胴体の側壁面に固定される大径部と先端側が小径部となる円錐部と、該円錐部の先端に固定された球体部とからなり、該球体部の球面には前記引き紐通し下溝側に突出する押さえ棒を設け、該押さえ棒の先端に円盤部を設け、さらに前記円錐部の途中には上方に鉛直状に突出する止めピンを設けたものである。
【発明の効果】
【０００５】
本発明の飛行玩具は、ゆっくり引き具を引いても握り胴体に引き紐末端を摩擦により押さえる構造を持つため、誰でも簡単に垂直飛行をする竹とんぼを飛ばすことができる。
【発明を実施するための最良の形態】
【０００６】
以下、本発明の実施例を添付図面に基づいて説明する。
図１に示すように、竹とんぼ１は、適宜長さの細長棒状の柄部２と該柄部２の先端にプロペラ２を固着して構成される。
なお、竹とんぼの表現を用いているが、素材として必ずしも竹に限らず、木材、プラスチック等から製造することも、同等の機能を有する物であれば本発明に包含される。
また、引き具４は、円柱状の把握部５の中央部に直径方向に上下２本の貫通穴を設け、該貫通穴に１本の紐を通して紐端を結び、１本の引き紐６を形成したものである。
なお、前記把握部５は、円柱状に限らず、多角柱状であっても良い。
【０００７】
図２に示すように、握り胴体７は、前記竹とんぼ１の柄部２より長く、片手で握りやすい太さの円柱体からなるが、多角柱体等から形成することも可能であり、前記握り胴体７の下端には直方体の置台８を固着して前記握り胴体７を直立姿勢に静置できるようにする。
また、前記握り胴体７の上端面周縁に近い個所に上端面から底部に向かう挿通穴９を設け、該挿通穴９は竹とんぼ１の柄部２を緩挿できる丸径及び深さで設けて、前記挿通穴９の途中には前記挿通穴９と直交する方向で、上下の相対向する左右側面にそれぞれ引き紐通し上溝１０及び引き紐通し下溝１１を形成すると共に、上端面から引き紐通し上溝１０及び引き紐通し下溝１１まで挿通穴９側壁面を開放して挿通溝１２を形成する。
したがって、前記握り胴体７には、前方が開口した縦方向の挿通溝１２と、該挿通溝１２に連続する挿通穴９が形成され、前記挿通溝１２には、上下に相対向する左右側面にそれぞれ引き紐通し上溝１０及び引き紐通し下溝１１が形成される。
さらに、前記握り胴体７には、前記引き紐通し下溝１１上部の側壁面に糸巻き摩擦棒１３が半径方向に突出形成される。
【０００８】
図３に示すように、前記糸巻き摩擦棒１３は、前記握り胴体７の側壁面に固定される大径部と先端側が小径部となる円錐部１４と、該円錐部１４の先端に固定された球体部１５とからなり、該球体部１５の球面には前記引き紐通し下溝１１側に突出する押さえ棒１６を設け、該押さえ棒１６の先端に円盤部１７を設ける。
また、前記円錐部１４の途中には上方に鉛直状に突出する止めピン１８を設ける。
【０００９】
次に、本発明の飛行玩具の遊び方について、図面に基づいて説明する。
まず、竹とんぼ１の柄部２には、予め引き紐通し上溝１０及び引き紐通し下溝１１の位置する個所に、すなわち引き紐６を巻き付ける区間に目印線１９，１９を付けておく。
そして、図１に示すように、左手（図示せず）で把握部５とプロペラ３を握り、竹とんぼ１の柄部２の目印線１９，１９間に、右手（図示せず）で引き紐６を前記柄部２に４回反時計廻りに重ならないように螺旋状に下方向に巻き付ける。
【００１０】
図１に示すように竹とんぼ１の柄部２に引き紐６を４回反時計廻りに螺旋状に巻き付けた状態を保ち、図２に示す握り胴体７の挿通溝１２側から前記柄部２を挿通穴９へ、把握部５側の引き紐６を引き紐通し上溝１０へ、引き紐６の末端側を引き紐通し下溝１１へそれぞれ挿通する。
次に、図３に示すように、前記引き紐通し下溝１１へ挿通した引き紐６の末端側を、糸巻き摩擦棒１３の円錐部１４に手前下側から奥上側に２回大径側から小径側へ重ならないように螺旋状に巻回し、さらに止めピン１８を越えた球体部１５側で手前下側から奥上側に２回大径側から小径側へ重ならないように巻回する。
これで、引き紐６の巻回が終わり、竹とんぼ１の発射準備が整い、この状態を図４に示す。
【００１１】
竹とんぼ１を発射する際には、右利きの場合、左手で握り胴体７を持ち左腕を前方へ伸ばし、右手で引き具４の把握部５を握り、引き具４を手前側に強く引く。
この時、前記握り胴体７の挿通溝１２は右手側方向に位置し、引き紐通し上溝１０と引き紐６とは引く方向、すなわち手前側に一致しているので、円滑に引き紐６の引き動作を行うことができる。
【００１２】
前記引き具４を引くと、引き紐６の引き動作に連れて引き紐通し上溝１０に位置する前記柄部２の上部に巻かれている引き紐６は引かれて竹とんぼ１が反時計方向に回転し、一方、下方の引き紐６は竹とんぼ１の反時計方向の回転により前記柄部２下部に巻き取られる。
なお、この時、竹とんぼ１は反時計方向に回転しながら次第に上昇するが、引き紐６は引かれながら下方に順次巻き取られるので、竹とんぼ１の回転を邪魔することはない。
【００１３】
さらに、図３に示すように、引き具４の引き動作に連れて引き紐６は矢印方向に引かれるけれども徐々に大径となる円錐部１４の抵抗により引き紐６が拡がろうと滑り摩擦が起き、糸巻き摩擦棒１３に巻かれている引き紐６は先端が自由端となっているが、急速に解れることはない。
また、前記円錐部１４の途中には止めピン１８を設けてあるので、引き紐６がずれて紐同士が重なることがなく、かつ引き紐６が急速に引かれた時にA点側の引き紐６がB点側に集まることはない。
さらに、引き紐６を半分以上引くと、A点側で引き紐６自由端が激しく回転しようとするので引き紐６が円輪を作らないように押さえ棒１６で引き紐６の自由端の回転を押さえて引き紐６が急速に解れることを防止する。
なお、円盤部１７は、引き紐６が押さえ棒１６から外れないようにストッパーの役目をする。
このように、ゆっくり引き具４を引いても握り胴体７に引き紐６末端を摩擦により押さえる糸巻き摩擦棒１３を持つため、誰でも簡単に垂直飛行をする竹とんぼ１を飛ばすことができる。
【図面の簡単な説明】
【００１４】
【図１】本発明の竹とんぼと引き具との斜視図である。
【図２】本発明の握り胴体の斜視図である。
【図３】本発明の糸巻き摩擦棒の要部拡大斜視図である。
【図４】本発明の飛行玩具の正面図である。
【符号の説明】
【００１５】
１  竹とんぼ
２  柄部
３  プロペラ
４  引き具
５  把握部
６  引き紐
７  握り胴体
８  置台
９  挿通穴
１０  引き紐通し上溝
１１  引き紐通し下溝
１２  挿通溝
１３  糸巻き摩擦棒
１４  円錐部
１５  球体部
１６  押さえ部
１７  円盤部
１８  止めピン
１９  目印線
【図１】
2005118085.tif 000003
【図２】
2005118085.tif 000004
【図３】
2005118085.tif 000005
【図４】
2005118085.tif 000006